(57)【要約】【課題】釣人が曳舟本体に手を掛けて持ち上げた状態であっても、当該手で蓋の開閉を行うことができる鮎釣用曳舟を提供する。【解決手段】鮎釣用曳舟１０は、収容室３７に連通する開口３８が上面に設けられると共に開口の後方に収容室と連通する通水孔１７が設けられた曳舟本体１１と、前後方向後側の部位を回動中心として俯仰することによって開口３８を開閉する蓋体１４と、蓋体１４を閉じ状態にロックするロック機構とを備え、ロック機構は、蓋体１４の前部に設けられ、蓋体１４から突出して曳舟本体１０と係合し得るロック状態及び蓋体１４側に退避する非ロック状態の間で状態変化するロック部４１と、蓋体１４の後端部に設けられ、ロック部４２をロック状態と非ロック状態との間で状態変化させる操作部４２とを有する。【選択図】図２
2014204683.tif 000002
【特許請求の範囲】
【請求項１】
内部に収容室が区画され、当該収容室に連通する開口が上面に設けられると共に当該開口の後方に上記収容室と連通する通水孔が設けられた曳舟本体と、
上記上面に設けられ、前後方向後側の部位を回動中心として俯仰することによって上記開口を開閉する蓋体と、
当該蓋体を閉じ状態にロックするロック機構とを備え、
当該ロック機構は、
上記蓋体の前部に設けられ、上記蓋体から突出して上記曳舟本体と係合し得るロック状態及び当該蓋体側に退避する非ロック状態の間で状態変化するロック部と、
上記蓋体の後端部に設けられ、上記ロック部を上記ロック状態と上記非ロック状態との間で状態変化させる操作部とを有する鮎釣用曳舟。
【請求項２】
上記操作部は、上記上面に対して起伏動作するレバーを備え、
上記ロック部は、
上記蓋体の前端部に回動自在に設けられ、回動することによって上記状態変化をするカム板と、
当該カム板を常時上記ロック状態側へ弾性的に付勢する付勢部材と、
上記カム板と上記レバーとを連結し、当該レバーの動作に連動して上記カム板を上記非ロック状態へ状態変化させる可撓性を有する線状部材とを備える請求項１に記載の鮎釣用曳舟。
【請求項３】
上記操作部は、上記上面に対して起伏動作可能に設けられ、倒伏してレバーを覆うことにより当該レバーの操作を規制する規制姿勢と、起立して上記レバーを露出させることにより当該レバーの操作を許容する許容姿勢との間で姿勢変化するカバーを備え、
上記ロック部は、
上記蓋体に回動自在に設けられ、回動することによって上記カム板の回動を規制する規制姿勢と回動を許容する許容姿勢との間で姿勢変化するカムロック板と、
当該カムロック板と上記カバーとを連結し、当該カバーの動作に連動して上記カムロック板を上記許容姿勢へ姿勢変化させる可撓性を有する線状部材とを備える請求項２に記載の鮎釣用曳舟。
【請求項４】
上記カム板には、上記カム板の回動中心を中心とする円弧状の第１溝及び上記カムロック板の回動中心を中心とする円弧状の第２溝が互いに合流するように形成されたＶ字溝が形成され、
上記カムロック板は、上記カム板及び上記カムロック板の回動に伴って上記Ｖ字溝内を相対移動するピンを備えている請求項３に記載の鮎釣用曳舟。
【発明の詳細な説明】
【技術分野】
【０００１】
この発明は、鮎釣りの際にオトリとして使用される鮎を保管する曳舟の構造に関するものである。
【背景技術】
【０００２】
いわゆる友釣り（鮎釣り）では、釣人は鮎釣用曳舟（以下、「曳舟」と称される。）を携行する（たとえば特許文献１参照）。図９及び図１０が示すように、従来の曳舟１は、曳舟本体２の上面に蓋３が設けられており、この蓋３は、ヒンジ４を中心に回動することによって開閉する。実釣においておとり鮎が交換される場合や、納竿時に曳舟に収容された鮎がオトリ缶に入れ替えられる場合には、釣人は、図１０が示すように蓋３を開放する。
【０００３】
ただし、実釣において曳舟１は、一般に釣人の身体に係留され川面に浮かんでいるから、釣人が意図しないときに蓋３が開いてしまうことが防止されなければならない。そのため、従来の曳舟１は、蓋３のロック機構５を備えている。このロック機構５は、図１０が示すように蓋３の先端側（ヒンジ４が設けられた側と反対側）に配置されている。釣人は、このロック機構５を操作してロックを解除し、蓋３を開く。
【先行技術文献】
【特許文献】
【０００４】
【特許文献１】特開２００７−１１０９５７号公報
【発明の概要】
【発明が解決しようとする課題】
【０００５】
水面に曳舟１が浮かんでいる状態では、曳舟１が水に支えられているから、釣人は、比較的容易に片手でロック機構５のロックを解除し、蓋３を開けることができる。しかし、たとえば納竿時に、曳舟１に収容された鮎をオトリ缶に入れ替える場合には、釣人は、まず曳舟１の後部に設けられた凹部６（水抜孔）に手を掛けて曳舟１を持ち上げ、川から曳舟１を引き上げる。その後に釣人は、蓋３を開放して曳舟１を傾けることにより、曳舟１に収容された鮎をオトリ缶に移す。
【０００６】
ところで、この作業を行うときに釣人は、一方の手で曳舟１を把持しているから、当該手でロック機構５を操作することができない。つまり、釣人は、他方の手でロック機構５を操作しなければならず、曳舟１に収容された鮎をオトリ缶に移すために両手が必要になる。
【０００７】
鮎釣では、釣人は釣竿、オトリ缶、曳舟、タックルケース等々を携帯し且つ釣場を移動しなければならないため、釣人にとっては曳舟１から鮎をオトリ缶に移す作業は片手で行いたいという要請がある。
【０００８】
この発明は、かかる背景のもとになされたものであって、その目的は、釣人が曳舟本体に手を掛けて持ち上げた状態であっても、当該手で蓋の開閉を行うことができる鮎釣用曳舟を提供することである。
【課題を解決するための手段】
【０００９】
(1)  本発明に係る鮎釣用曳舟は、内部に収容室が区画され、当該収容室に連通する開口が上面に設けられると共に当該開口の後方に上記収容室と連通する通水孔が設けられた曳舟本体と、上記上面に設けられ、前後方向後側の部位を回動中心として俯仰することによって上記開口を開閉する蓋体と、当該蓋体を閉じ状態にロックするロック機構とを備える。そして、当該ロック機構は、上記蓋体の前部に設けられ、上記蓋体から突出して上記曳舟本体と係合し得るロック状態及び当該蓋体側に退避する非ロック状態の間で状態変化するロック部と、上記蓋体の後端部に設けられ、上記ロック部を上記ロック状態と上記非ロック状態との間で状態変化させる操作部とを有する。
【００１０】
上記構成によれば、鮎釣用曳舟を持ち上げる際に把持部となり得る通水孔とロック機構の操作部とが近接して配置されているので、釣人は、通水孔を区画する上壁を把持した手で操作部を操作することができる。これにより、釣人が曳舟本体に手を掛けて持ち上げた状態であっても、当該手で蓋体の開閉を行うことができる。
【００１１】
(2)  例えば、上記操作部は、上記上面に対して起伏動作するレバーを備える。また、上記ロック部は、上記蓋体の前端部に回動自在に設けられ、回動することによって上記状態変化をするカム板と、当該カム板を常時上記ロック状態側へ弾性的に付勢する付勢部材と、上記カム板と上記レバーとを連結し、当該レバーの動作に連動して上記カム板を上記非ロック状態へ状態変化させる可撓性を有する線状部材とを備える。
【００１２】
(3)  さらに、上記操作部は、上記上面に対して起伏動作可能に設けられ、倒伏してレバーを覆うことにより当該レバーの操作を規制する規制姿勢と、起立して上記レバーを露出させることにより当該レバーの操作を許容する許容姿勢との間で姿勢変化するカバーを備える。また、上記ロック部は、上記蓋体に回動自在に設けられ、回動することによって上記カム板の回動を規制する規制姿勢と回動を許容する許容姿勢との間で姿勢変化するカムロック板と、当該カムロック板と上記カバーとを連結し、当該カバーの動作に連動して上記カムロック板を上記許容姿勢へ姿勢変化させる可撓性を有する線状部材とを備える。
【００１３】
上記構成によれば、カム板を非ロック状態に状態変化させるためには、カムロック板を許容姿勢に姿勢変化させる必要が生じる。これにより、意図せずに蓋体がされるのを抑止することができる。また、レバーを操作するためには、カバーを起立させる必要が生じる。これにより、操作部が誤った手順で操作されるのを防止することができる。
【００１４】
(4)  例えば、上記カム板には、上記カム板の回動中心を中心とする円弧状の第１溝及び上記カムロック板の回動中心を中心とする円弧状の第２溝が互いに合流するように形成されたＶ字溝が形成されている。また、上記カムロック板は、上記カム板及び上記カムロック板の回動に伴って上記Ｖ字溝内を相対移動するピンを備えている。
【発明の効果】
【００１５】
この発明によれば、鮎釣用曳舟を持ち上げる際に把持部となり得る通水孔とロック機構の操作部とを近接して配置したので、釣人が曳舟本体に手を掛けて持ち上げた状態であっても、当該手で蓋の開閉を行うことができる鮎釣用曳舟を得ることができる。
【図面の簡単な説明】
【００１６】
【図１】図１は、本発明の一実施形態に係る鮎釣用曳舟の後方斜視図であって、蓋体の閉鎖状態を示している。
【図２】図２は、本発明の一実施形態に係る鮎釣用曳舟の後方斜視図であって、蓋体の開放状態を示している。
【図３】図３は、本発明の一実施形態に係る蓋体の裏面図であって、カム板がロック状態で且つカムロック板が規制姿勢の状態を示す図である。
【図４】図４は、図３のＩＶ−ＩＶにおける断面図である。
【図５】図５は、本発明の一実施形態に係る蓋体の裏面図であって、カム板がロック状態で且つカムロック板が許容姿勢の状態を示す図である。
【図６】図６は、図５のＶＩ−ＩＶにおける断面図である。
【図７】図７は、本発明の一実施形態に係る蓋体の裏面図であって、カム板が非ロック状態で且つカムロック板が許容姿勢の状態を示す図である。
【図８】図８は、図７のＶＩＩＩ−ＶＩＩＩにおける断面図である。
【図９】図９は、従来の一般的な曳舟の後方斜視図である。
【図１０】図１０は、従来の一般的な曳舟の後方斜視図である。
【発明を実施するための形態】
【００１７】
以下、本発明の好ましい実施形態が、適宜図面が参照されながら説明される。なお、本実施の形態は、本発明に係る鮎釣用曳舟の一態様にすぎず、本発明の要旨を変更しない範囲で実施態様が変更されてもよいことは言うまでもない。
【００１８】
図１及び図２は、本発明の一実施形態に係る鮎釣用曳舟１０の斜視図である。
【００１９】
この鮎釣用曳舟１０は、鮎釣りの際にオトリとして使用される鮎を生きたまま保存するためのものである。鮎釣用曳舟１０は、実釣中に釣人の身体等に係留され、川面に浮かべられる。鮎釣用曳舟１０は、曳舟本体１１と、図示されていない係留ロープとを備えている。この係留ロープの一端部は、曳舟本体１１の船首に設けられたロープアンカー１２に連結され、他端部が例えば釣人の腰部に繋がれる。
【００２０】
曳舟本体１１は、ボート状の外観を呈し、例えば、アクリロニトリルブタジエンスチレン共重合体（ＡＢＳ）、アクリル、ポリプロピレン（ＰＰ）、ポリカーボネート（ＰＣ）、等の樹脂から構成される。本実施形態における曳舟本体１１は、下部本体３５及び上部本体３６を有し、これらが上下方向に嵌め合わされている。両者が嵌め合わされる位置は、同図において、パーティングラインＮ１で示されている。
【００２１】
図２に示されるように、曳舟本体１１の内部は空洞になっている。この空洞は、鮎を収容する収容室３７を構成する。すなわち、収容室３７は、曳舟本体１１の内部に区画されている。また、曳舟本体１１の上面１３に開口３８が設けられている。この開口３８は、収容室３７と連通している。曳舟本体１１の上面には、環状に構成された蓋体１４が取り付けられている。この蓋体１４は、開口３８を開閉する。
【００２２】
曳舟本体１１は、図１及び図２に示されるように、通水孔１７、給水孔２０〜２１、及び排水孔２２〜２４を備えている。これらは、曳舟本体１１の内部と連通している。したがって、この鮎釣用曳舟１０が川面に浮かべられると、通水孔１７及び給水孔２０〜２１を通じて水が曳舟本体１１の内部、すなわち収容室３７に進入する。また、収容室３７内の水は、通水孔１７及び排水孔２２〜２４を通じて排出される。なお、収容室３７に水が進入した場合であっても、鮎釣用曳舟１０が沈没しないように曳舟本体１１の浮力が設定されている。
【００２３】
通水孔１７は、曳舟本体１１の上面で且つ開口３８の後方に設けられている。また、通水孔１７の奥壁には、収容室３７と通水孔１７とを連通させる複数の小孔が設けられている。鮎釣用曳舟１０が水中に沈められると通水孔１７を通じて水が収容室３７に注入される。また、鮎釣用曳舟１０の使用時には、収容室３７内の余分な水が通水孔１７を通じて排出される。さらに、通水孔１７を区画する上壁１８は、把持部としても機能する。例えば、釣人は、通水孔１７内に挿入した手を上壁１８の内側に押し当てて鮎釣用曳舟１０を持ち上げることができる。
【００２４】
給水孔２０〜２１は、船首前面２８に左右対称に設けられている。図２には、船首前面２８の右側に配置された給水孔２０〜２１が示されている。各給水孔２０〜２１は、細長の貫通孔からなり、船首前面２８に沿って上下方向に延びている。排水孔２２〜２４は、曳舟本体１１の側面３０に左右対称に設けられている。図１及び図２には、左舷側面３０に配置された排水孔２２〜２４が示されている。各排水孔２２〜２４は、細長の貫通孔からなり、左舷及び右舷の側面３０に沿って前後方向に延びている。
【００２５】
蓋体１４は、ヒンジ１５を介して曳舟本体１１に対して回動可能に連結されている。具体的には、蓋体１４は、当該蓋体１４の後端に設けられた蓋支持軸３９周りに回動する。なお、蓋支持軸３９は、図１及び図２において二点鎖線で示されている。蓋支持軸３９は、曳舟本体１１の上面１３で且つ開口３８の後方において、曳舟本体１１の左右方向に延設されている。すなわち、蓋体１４は、前端を回動先端とし、後端に設けられた蓋支持軸３９を回動中心として俯仰動作することにより、図１に示されるように開口３８を閉鎖する閉鎖状態（閉じ状態）と、図２に示されるように開口３８を開放する開放状態とに状態変化する。図２に示されるように、蓋体１４を開放状態にして開口３８を露出させることにより、釣人は、容易に鮎を収容室３７に出し入れすることができる。
【００２６】
蓋体１４は、中央に貫通孔を有する環状に構成されている。蓋体１４に設けられた貫通孔は、開口３８及び収容室３７に連通する。また、蓋体１４には、貫通孔を開閉する観音開き式の扉１６が設けられている。また、蓋体１４には、蓋体１４を閉鎖状態にロックするロック機構が設けられている。ロック機構は、図３〜図８に示されるように、蓋体１４の前部に設けられたロック部４１と、蓋体１４の後端部に設けられた操作部４２とを有する。操作部４２が操作されることによって、ロック部４１が、蓋体１４を閉鎖状態にロックするロック状態と、蓋体１４の俯仰動作を許容する非ロック状態との間で状態変化する。さらに、蓋体１４は、図示しない付勢部材によって開放状態に向けて付勢されている。
【００２７】
ロック部４１は、カム板４３と、カムロック板４４と、ワイヤー４５、４６（可撓性を有する線状部材の一例）と、コイルバネ４７、４８（付勢部材の一例）とを含む。操作部４２は、レバー４９と、カバー５０とを含む。また、カム板４３、カムロック板４４、レバー４９、及びカバー５０は、それぞれ回動軸５１〜５４によって蓋体１４に対して回動可能に支持されている。
【００２８】
カム板４３は、係合部４３Ａを有する平板状の部材である。カム板４３は、曳舟本体１１の上下方向に延設された回動軸５１を中心に回動することによって、係合部４３Ａが蓋体１４の前方に突出するロック状態（図３〜図６に示される状態）と、係合部４３Ａが蓋体１４側に退避する非ロック状態（図７及び図８に示される状態）とに状態変化し得る。係合部４３Ａは、カム板４３がロック状態のときに、曳舟本体１１に係合し得る。一方、係合部４３Ａは、カム板４３が非ロック状態のときに、蓋体１４側に退避して曳舟本体１１との係合が解除される。また、図４に示されるように、回動軸５１には、コイルバネ４７が取り付けられている。コイルバネ４７は、カム板４３を常時ロック状態の側に弾性的に付勢する。
【００２９】
カムロック板４４は、平板状の部材であって、少なくともその一部がカム板４３と重なり合うように配置されている。カムロック板４４は、曳舟本体１１の上下方向に延設された回動軸５２を中心に回動することによって、カム板４３の回動を規制する規制姿勢と、カム板４３の回動を許容する許容姿勢とに姿勢変化する。また、図４に示されるように、回動軸５２には、コイルバネ４８が取り付けられている。コイルバネ４８は、カムロック板４４を規制姿勢の側に弾性的に付勢する。
【００３０】
また、カム板４３には、図３に示されるように、Ｖ字溝５５が設けられている。Ｖ字溝５５は、カム板４３の回動中心（すなわち、回動軸５１）を中心とする円弧状の第１溝５６と、カムロック板４４の回動中心（すなわち、回動軸５２）を中心とする円弧状の第２溝５７とが互いに合流するように形成された略Ｖ字形状に形成されている。なお、本実施形態におけるＶ字溝はカム板４３の厚み方向に貫通しているが、これに限ることなく、カム板４３の厚み方向の一方側の面に形成された凹みであってもよい。さらに、カムロック板４４には、Ｖ字溝５５内を相対移動するピン４４Ａが立設されている。
【００３１】
レバー４９は、図４に示されるように、曳舟本体１１の左右方向に延設された回動軸５３を中心に回動することによって、上面１３に対して起伏動作する。より具体的には、レバー４９は、図４及び図６に示される起立姿勢と、図８に示される倒伏姿勢との間で姿勢変化する。なお、本実施形態における倒伏姿勢は、起立姿勢の状態から後方側に倒伏された状態を指す。本実施形態におけるレバー４９は、概ね扇形状の外形を呈しており、扇の要の位置に回動軸５３が設けられている。
【００３２】
カバー５０は、曳舟本体１１の左右方向に延設された回動軸５４を中心に回動することによって、上面１３に対して起伏動作する。カバー５０は、レバー４９の前方側に配置されており、図４に示されるように後方側に倒伏されることによって、起立姿勢のレバー４９の操作を規制する規制姿勢と、図６及び図８に示されるように起立されることによって、レバー４９の操作を許容する許容姿勢との間で姿勢変化する。本実施形態におけるカバー５０は、概ねＬ字形状の外形を呈しており、Ｌ字の屈曲部分に回動軸５４が設けられている。また、図４の例では、規制姿勢のカバー５０がレバー４９の前方側の角部を上方から覆うことによって、レバー４９の操作を規制している。さらに、図６及び図８の例では、許容姿勢のカバー５０がレバー４９の前方側の角部を露出させることによって、レバー４９の操作を許容している。
【００３３】
ワイヤー４５は、図３及び図４に示されるように、カム板４３とレバー４９とを連結している。カム板４３におけるワイヤー４５の接続位置は、曳舟本体１１の左右方向において回動軸５１と離間した位置である。また、レバー４９におけるワイヤー４５の接続位置は、曳舟本体１１の上下方向において回動軸５３より上方である。このワイヤー４５は、レバー４９の動作に連動してカム板４３をロック状態から非ロック状態へ状態変化させる。より具体的には、ワイヤー４５は、レバー４９が起立姿勢から倒伏姿勢へ姿勢変化されることにより、コイルバネ４７の付勢力に抗してカム板４３をロック状態から非ロック状態へ状態変化させる。なお、本実施形態におけるワイヤー４５は、蓋体１４に設けられた貫通孔の外縁に沿ってカム板４３及びレバー４９の間に延設されている。
【００３４】
ワイヤー４６は、カムロック板４４とカバー５０とを連結している。カムロック板４４におけるワイヤー４６の接続位置は、曳舟本体１１の左右方向において回動軸５２と離間した位置である。また、カバー５０におけるワイヤー４６の接続位置は、曳舟本体１１の上下方向において回動軸５４より下方である。このワイヤー４６は、カバー５０の動作に連動してカムロック板４４を規制姿勢から許容姿勢へ状態変化させる。より具体的には、ワイヤー４６は、カバー５０が規制姿勢から許容姿勢へ姿勢変化されることにより、コイルバネ４８の付勢力に抗してカムロック板４４を規制姿勢から許容姿勢へ状態変化させる。なお、本実施形態におけるワイヤー４６は、蓋体１４に設けられた貫通孔の外縁に沿ってカムロック板４４及びカバー５０の間に延設されている。
【００３５】
さらに、ロック機構は、図６及び図８に示される許容姿勢のカバー５０がコイルバネ４８の付勢力によって図４に示される規制姿勢に姿勢変化するのを規制する倒伏規制手段（不図示）を備えるのが望ましい。倒伏規制手段は、許容姿勢のカバー５０が、コイルバネ４８の付勢力によって規制姿勢に姿勢変化されるのを規制し、且つ釣人の手によって規制姿勢に姿勢変化されるのを許容する。倒伏規制手段の具体的な実現方法は特に限定されないが、例えば、コイルバネ４８の付勢力に勝る摩擦力をカバー５０との間に発生させるものであってもよいし、カバー５０の回動軸５４に設けられたラチェット機構であってもよい。
【００３６】
以下、図３〜図８を参照して、蓋体１４を開放する手順の一例を説明する。
【００３７】
図３及び図４は、鮎釣用曳舟１０の使用時におけるロック機構の状態を示している。すなわち、図３に示されるように、カム板４３がロック状態であり、カムロック板４４が規制姿勢である。また、図４に示されるように、レバー４９が起立姿勢であり、カバー５０が規制姿勢である。これにより、蓋体１４が閉鎖状態に維持され、且つ釣人の意図に反してレバー４９が倒伏されることがない状態である。
【００３８】
また、図３に示されるように、カム板４３がロック状態で且つカムロック板４４が規制姿勢である時、ピン４４Ａは、第２溝５７の先端（第１溝５６との合流地点から遠い側の端部）に位置する。この状態において、ピン４４Ａは、カムロック板４４の回動に伴って第２溝５７内を移動可能である。すなわち、図３に示される状態は、カム板４３の回動が規制され、且つカムロック板４４の回動が許容された状態である。
【００３９】
次に、蓋体１４を開放しようとする釣人は、通水孔１７内に人差し指から小指までを入れて鮎釣用曳舟１０を持ち上げると共に、図６に示されるように、当該手の親指でカバー５０を前方側へ起立させる。これにより、カバー５０によってワイヤー４６が引かれ、図５に示されるように、カムロック板４４が規制姿勢から許容姿勢に状態変化する。また、図６に示されるように、レバー４９の上面が露出されて操作可能な状態となる。さらに、カバー５０は、倒伏規制手段によって許容姿勢に維持される。
【００４０】
また、図５に示されるように、カム板４３がロック状態で且つカムロック板４４が許容姿勢であるとき、ピン４４Ａは、第１溝５６及び第２溝５７の合流地点に位置する。この状態において、ピン４４Ａは、カム板４３の回動に伴って第１溝５６内を移動可能であり、カムロック板４４の回動に伴って第２溝５７内を移動可能である。すなわち、図５に示される状態は、カム板４３及びカムロック板４４の回動が許容された状態である。
【００４１】
次に、釣人は、図８に示されるように、カバー５０を操作した親指でレバー４９を後方側に倒伏させる。これにより、レバー４９によってワイヤー４５が引かれ、図７に示されるように、カム板４３がロック状態から非ロック状態に状態変化する。その結果、蓋体１４は、付勢部材の付勢力によって閉鎖状態から開放状態に状態変化、すなわち、開口３８を開放する。
【００４２】
図７に示されるように、カム板４３が非ロック状態で且つカムロック板４４が許容姿勢であるとき、ピン４４Ａは、第１溝５６の先端（第２溝５７との合流地点から遠い側の端部）に位置する。この状態において、ピン４４Ａは、カム板４３の回動に伴って第１溝５６内を移動可能である。すなわち、図７に示される状態は、カム板４３の回動が許容され、カムロック板４４の回動が規制された状態である。
【００４３】
［本実施形態の作用効果］
本実施形態によれば、鮎釣用曳舟１０を持ち上げる際に把持部となり得る通水孔１７とロック機構の操作部４２とが近接して配置されているので、釣人は、通水孔１７を区画する上壁１８を把持した手で操作部４２を操作することができる。これにより、釣人が曳舟本体１１に手を掛けて持ち上げた状態であっても、当該手で蓋体１４の開閉を行うことができる。
【００４４】
また、本実施形態によれば、カム板４３を非ロック状態に状態変化させるためには、カムロック板４４を許容姿勢に姿勢変化させる必要が生じる。これにより、意図せずに蓋体１４が開放されるのを抑止することができる。また、レバー４９を操作するためには、カバー５０を起立させる必要が生じる。これにより、操作部４２が誤った手順で操作されるのを抑止することができる。
【００４５】
また、本実施形態によれば、平板状のカム板４３及びカムロック板４４でロック部４１を構成したので、ロック部４１を収容する蓋体１４の厚みが大きくなりすぎることがない。さらに、本実施形態によれば、ワイヤー４５、４６は、蓋体１４に設けられた貫通孔の外縁に沿って延設されているので、当該貫通孔を通じて鮎を収容室３７に挿入する作業を妨げることがない。
【００４６】
なお、本実施形態におけるロック機構の具体的な構成は、上述の例に限定されない。例えば、ロック部４１は、蓋体１４の前端部に設けられていなくてもよい。但し、ロック部４１は、曳舟本体１１の前後方向において、蓋体１４の中央より前方側に設けられるのが望ましい。また、カムロック板４４を省略し、レバー４９の操作の規制及び許容を切り替えるためだけにカバー５０を設けてもよい。さらには、カバー５０をも省略することができる。
【符号の説明】
【００４７】
１０・・・鮎釣用曳舟
１１・・・曳舟本体
１４・・・蓋体
１７・・・通水孔
３７・・・収容室
３８・・・開口
４１・・・ロック部
４２・・・操作部
４３・・・カム板
４４・・・カムロック板
４４Ａ・・・ピン
４５，４６・・・ワイヤー
４７，４８・・・コイルバネ
４９・・・レバー
５０・・・カバー
５５・・・Ｖ字溝
５６・・・第１溝
５７・・・第２溝
【図１】
2014204683.tif 000003
【図２】
2014204683.tif 000004
【図３】
2014204683.tif 000005
【図４】
2014204683.tif 000006
【図５】
2014204683.tif 000007
【図６】
2014204683.tif 000008
【図７】
2014204683.tif 000009
【図８】
2014204683.tif 000010
【図９】
2014204683.tif 000011
【図１０】
2014204683.tif 000012